(57)【要約】【課題】液面計の電源遮断が行われたとしても、液面計からの信号を受信するＰＯＳに通信障害が起こらないようにすることができるＰＯＳ通信障害防止装置を提供すること。【解決手段】液面計２の電源が投入されているときの液面計２とＰＯＳ１間の信号を疑似信号生成手段６ａによって疑似的に生成し、液面計２の電源が遮断されているときに、疑似信号生成手段６ａからの疑似信号を、接続手段６ｂ、端子２ａ及び信号線５を介してＰＯＳ１に送信するようにした。【選択図】図１
2005200031.tif 000002
【特許請求の範囲】
【請求項１】
ＰＯＳと通信を行う液面計の電源が遮断されているときに、液面計の電源が投入されているときの液面計とＰＯＳ間の信号を疑似的に生成する疑似信号生成手段を備え、前記疑似信号生成手段からの疑似信号をＰＯＳに送信可能としたＰＯＳ通信障害防止装置。
【請求項２】
液面計からの信号をＰＯＳに送信するための信号線を接続する液面計の端子に着脱可能な接続手段をさらに備え、前記疑似信号生成手段からの疑似信号を前記接続手段によって前記端子に伝え、前記信号線を介してＰＯＳに送信するようにした請求項１に記載のＰＯＳ通信障害防止装置。
【発明の詳細な説明】
【技術分野】
【０００１】
本発明は、液体貯蔵タンクに設置されている液面計からの信号を受信するＰＯＳの通信障害を防止するためのＰＯＳ通信障害防止装置に関する。
【背景技術】
【０００２】
給液所等の液体貯蔵タンクには、その液位情報や液量情報を得るために液面計が設置されており、この液面計からの信号は、信号線を介してＰＯＳに伝送され管理されている（例えば特許文献１参照）。
【０００３】
この給液所等における従来の信号伝送システムを図６に示す。同図に示すように、ＰＯＳ１には、液面計２に加えて、計量機３と洗車機等のその他の機器４が信号線５を介して接続されており、各機器からの信号がＰＯＳ１に伝送されて集約されるようになっている。ＰＯＳ１は、集約された信号を処理して伝票を出力し、また、遠隔地の配送センタや事務所に信号を伝送する。
【０００４】
ところが、液面計２はメンテナンスを行う場合などに電源を遮断されることがあり、この液面計２の電源遮断によって、液面計２と信号線５を介して接続されたＰＯＳ１が通信障害を起こし、さらにこれに伴い、ＰＯＳ１と信号線５を介して接続された計量機３やその他の機器４が異常停止することがあった。そのため、従来は下記のような対応を採っていた。
【０００５】
１．液面計のメンテナンス等により電源遮断を行う場合は、ＰＯＳ１に通信障害が発生した場合に備えて、ＰＯＳ１のメーカーの技術者に事前調査または同行してもらい、ＰＯＳ１に通信障害が発生した場合に直ちに復旧作業を行ってもらう。
２．ＰＯＳ１の通信障害発生を防止するために、液面計２の電源が投入された状態で、信号線５を液面計２の端子台２ａから外した後に液面計２の電源を遮断して液面計２のメンテナンスを行い、メンテナンスが終了した時点で液面計２の電源を再投入してから、先に外した信号線５を元の液面計２の端子２ａに再接続する。
【０００６】
しかし、上記１の対応では、ＰＯＳ１のメーカーの技術者による事前調査または同行に多大なコストが掛かるという問題があり、また、ＰＯＳ１の通信障害をなくすための解決手段とはならない。また、上記２の対応を採っても、ＰＯＳ１の機種によっては通信障害が発生する場合があり、さらに、この対応では電流が流れた状態で信号線５を外すため、作業方法を誤るとショートし、それが原因で通信障害を起こすことがあった。
【特許文献１】特開２００１−１３９１００号公報
【発明の開示】
【発明が解決しようとする課題】
【０００７】
本発明が解決しようとする課題は、液面計の電源遮断が行われたとしても、液面計からの信号を受信するＰＯＳに通信障害が起こらないようにすることができるＰＯＳ通信障害防止装置を提供することにある。
【課題を解決するための手段】
【０００８】
上記課題を解決するため、本発明のＰＯＳ通信障害防止装置は、液面計の電源が投入されているときの液面計とＰＯＳ間の信号を疑似信号生成手段によって疑似的に生成し、液面計の電源が遮断されているときに、前記疑似信号生成手段からの疑似信号をＰＯＳに送信するようにしたものである。
【０００９】
また、本発明のＰＯＳ通信障害防止装置は、液面計からの信号をＰＯＳに送信するためのＰＯＳ通信用の信号線を接続する液面計の端子に着脱可能な接続手段を備えたものとすることができる。この場合、接続手段によって疑似信号生成手段からの疑似信号を液面計の端子に伝え、信号線を介してＰＯＳに送信する。
【発明の効果】
【００１０】
本発明のＰＯＳ通信障害防止装置は以下の効果を奏する。
【００１１】
１．液面計がＰＯＳに本来発信している通信信号を、液面計の電源が遮断された際にＰＯＳ通信障害防止装置が代行して発信するため、あらゆるＰＯＳに対応でき、従来のように事前調査の実施やＰＯＳメーカーの技術者の同行が必要なくなりコストが大幅に削減される。
２．ＰＯＳ通信障害が回避されるため、営業への支障が皆無となった。
３．信号線を接続している端子に接続手段で接続するだけなので、ＰＯＳ通信用の信号線を外す必要がなく、信号線のショートによるＰＯＳ機能の停止が回避され、営業の阻害による客先の損失が皆無となった。
【発明を実施するための最良の形態】
【００１２】
以下、図面に示す実施例に基づき本発明の実施の形態を説明する。
【実施例１】
【００１３】
図１は、本発明のＰＯＳ通信障害防止装置を適用した給液所における信号伝送システムの第１実施例を示す。同図に示す信号伝送システムでは、先に図６を参照して説明した従来の信号伝送システムと同様に、ＰＯＳ１に、液面計２、計量機３及び洗車機等のその他の機器４が信号線５を介して接続されており、各機器からの信号がＰＯＳ１に伝送されて集約されるようになっている。ＰＯＳ１は、集約された信号を処理して伝票を出力し、また、遠隔地の配送センタや事務所に信号を伝送する。
【００１４】
この信号伝送システムにおいて、メンテナンス等により液面計２の電源を遮断するときは、本発明のＰＯＳ通信障害防止装置６を液面計２の端子２ａに接続する。
【００１５】
ＰＯＳ通信障害防止装置６は、液面計２の電源が投入されているときの液面計２とＰＯＳ１間の信号を疑似的に生成する疑似信号生成手段６ａと、接続手段６ｂとを備え、疑似信号生成手段６ａからの疑似信号を接続手段６ｂによって液面計２の端子２ａに伝え、この疑似信号を信号線５を介してＰＯＳ１に送信する。接続手段６ｂはワニ口クリップからなり、液面計２の端子２ａに着脱可能となっている。
【００１６】
図２は、疑似信号生成手段６ａの動作を説明するタイムチャートである。液面計２とＰＯＳ１は所定の通信プロトコルに準じて通信を行っており、ＰＯＳ１は周期的に液面計２及びその他の接続機器を呼び出している。例えばＰＯＳ１が液面計２を呼び出すと、液面計２は、図２（ａ）に示すように時間Ｔ後にＰＯＳ１へ所定の信号を返すようになっている。具体的には、ＰＯＳ１が液量情報を要求する呼び出し情報を発信した場合、液面計２は液量情報を送信し、ＰＯＳ１が液量情報を要求しない呼び出し信号を発信した場合、液面計２は伝送終了コード（ＥＯＴコード）を送信する。
【００１７】
一方、液面計２の電源が遮断されていた場合、ＰＯＳ１の呼び出し後、時間Ｔ０（Ｔ＜＜Ｔ０）を経過しても液面計２からの返事（所定の信号）は返って来ない。この場合、タイムアウトエラーとして液面計２に何らかの障害があると判断される。
【００１８】
疑似信号生成手段６ａは、上述のようなＰＯＳ１と液面計２間の信号のやり取りを監視し、ＰＯＳ１の呼び出しに対して時間Ｔ１（時間Ｔ＜Ｔ１＜Ｔ０）を経過しても液面計２からの返事（所定の信号の返信）が来ない場合、液面計２の代わりに所定の信号を擬似的に生成しＰＯＳ１へ送信する（図２（ｂ）参照）。一方、疑似信号生成手段６ａは、時間Ｔ１経過より前にも液面計２からの返事（所定の信号の返信）が来たことを検知すると信号を出さない。
【００１９】
図３は、疑似信号生成手段６ａの構成を示す。疑似信号生成手段６ａは、メモリ６ｃとデータ入力手段６ｄと二つのインターフェース６ｅ，６ｆとこれらの部品を制御するＣＰＵ６ｇを備えている。このうちメモリ６ｃには、データ入力手段６ｄによって、液面計２の電源が投入されているときにＰＯＳ１に発信される上記所定の信号、すなわちダミーの液量情報と伝送終了コードを予め登録しておく。そして、疑似信号生成手段６ａは、上述のように、ＰＯＳ１の呼び出しに対して時間Ｔ１（時間Ｔ＜Ｔ１＜Ｔ０）を経過しても液面計２からの返事（所定の信号の返信）が来ない場合、ＣＰＵ６ｇからの指示により、ＰＯＳ１からの呼び出し情報に応じて液量情報又は伝送終了コードをメモリ６ｃから呼び出しインターフェース６ｅを介して液面計２の端子２ａに送信する。液面計２の端子２ａに伝送された液量情報又は伝送終了コードは、信号線５によってＰＯＳ１に送信される。
【００２０】
以上のとおり、液面計２の電源が遮断された場合、疑似信号生成手段６ａによって液面計２の電源が投入されているときと同じ所定の信号を疑似的に生成してＰＯＳ１に送信するため、液面計２の電源遮断に起因するＰＯＳ１の通信障害の発生が回避される。
【実施例２】
【００２１】
図４は、本発明のＰＯＳ通信障害防止装置を適用した給液所における信号伝送システムの第２実施例を示し、図５は、この第２実施例における疑似信号生成手段６ａの構成を示す。図４及び図５において、第１実施例と同一の構成には同一の符号を付し、その説明を省略する。
【００２２】
先の第１実施例では、疑似信号生成手段６ａのメモリ６ｃにデータ入力手段６ｄによってダミーの液量情報と伝送終了信号を予め登録するようにしたが、本実施例では、伝送終了信号のみをデータ入力手段６ｄによって登録し、液量情報については液面計２から取り込むようにしている。具体的には、本実施例の液面計２は液量情報を伝送するための端子２ｂを備え、この端子２ｂとインターフェース６ｆを接続し、液面計２の電源を遮断する前に液量情報を端子２ｂとインターフェース６ｆを介してメモリ６ｃに取り込むようにしている。これによって、第１実施例と同様に、液量情報と伝送終了信号がメモリ６ｃに登録される。そして、疑似信号生成手段６ａは、ＰＯＳ１の呼び出しに対して時間Ｔ１（時間Ｔ＜Ｔ１＜Ｔ０）を経過しても液面計２からの返事（所定の信号の返信）が来ない場合、ＣＰＵ６ｇからの指示により、ＰＯＳ１からの呼び出し情報に応じて液量情報又は伝送終了コードをメモリ６ｃから呼び出しインターフェース６ｅを介して液面計２の端子２ａに送信する。液面計２の端子２ａに伝送された液量情報又は伝送終了コードは、信号線５によってＰＯＳ１に送信される。
【００２３】
このように、実施例においても、液面計２の電源が遮断された場合、疑似信号生成手段６ａによって液面計２の電源が投入されているときと同じ所定の信号を疑似的に生成してＰＯＳ１に送信するため、液面計２の電源遮断に起因するＰＯＳ１の通信障害の発生が回避される。
【産業上の利用可能性】
【００２４】
本発明は、液面計からの信号を受信するＰＯＳを備えた各種の信号伝送システムに適用可能である。
【図面の簡単な説明】
【００２５】
【図１】本発明のＰＯＳ通信障害防止装置を適用した給液所における信号伝送システムの第１実施例を示す。
【図２】疑似信号生成手段の動作を説明するタイムチャートである。
【図３】第１実施例における疑似信号生成手段の構成を示す。
【図４】本発明のＰＯＳ通信障害防止装置を適用した給液所における信号伝送システムの第２実施例を示す。
【図５】第２実施例における疑似信号生成手段の構成を示す。
【図６】従来の給液所における信号伝送システムを示す。
【符号の説明】
【００２６】
１  ＰＯＳ
２  液面計
２ａ、２ｂ  端子台
３  計量機
４  その他の機器
５  信号線
６  ＰＯＳ通信障害防止装置
６ａ  疑似信号生成手段
６ｂ  接続手段
６ｃ  メモリ
６ｄ  データ入力手段
６ｅ、６ｆ  インターフェース
６ｇ  ＣＰＵ
【図１】
2005200031.tif 000003
【図２】
2005200031.tif 000004
【図３】
2005200031.tif 000005
【図４】
2005200031.tif 000006
【図５】
2005200031.tif 000007
【図６】
2005200031.tif 000008